(57)【要約】【課題】  紙葉類収納部に取り付け、収納する紙葉類の収納空間の大きさをを調整するガイド部材の先端部を回動自在にし、この先端部でガイド部材と紙葉類収納部の内壁との間に生じる隙間を塞いで、この隙間に異物が入り込むのを防止した紙葉類処理装置を提供する。【解決手段】  入出金口１２は、一対のガイド部材３０（立設部材３１）を取り付ける位置を幅方向に調整でき、紙幣を揃えて収納することができる。また、回動部材３２は、バネ３３による付勢力で入出金口１２の側壁側に回動し、その先端が入出金口１２の側壁に当接した状態で停止する。このため、入出金口１２の側壁と、ガイド部材３０との間に隙間が生じていても、この隙間の上面が回動部材３２によって塞がれており、この隙間に異物が入り込むのを防止できる。【選択図】  図１
2005250643.tif 000002
【特許請求の範囲】
【請求項１】
紙葉類を集積して収納する紙葉類収納部を備えた紙幣処理装置において、
前記紙葉類収納部は、側壁の両側に一対のガイド部材が相互の間隔を調整可能に取り付けられ、
前記ガイド部材は、前記紙葉類収納部の底面から、収納する紙幣が流入する上面に向かって立設する立設部材と、この立設部材の上端部に回動自在に取り付けられた回動部材と、この回動部材に対して側壁側に回動する回動力を作用させる付勢部材と、を有する紙葉類処理装置。
【請求項２】
紙葉類を集積して収納する紙葉類収納部を備えた紙幣処理装置において、
前記紙葉類収納部は、側壁の一方の側にガイド部材が他方の側壁との間隔を調整可能に取り付けられ、
前記ガイド部材は、前記紙葉類収納部の底面から、収納する紙幣が流入する上面に向かって立設する立設部材と、この立設部材の上端部に回動自在に取り付けられた回動部材と、この回動部材に対して側壁側に回動する回動力を作用させる付勢部材と、を有する紙葉類処理装置。
【請求項３】
前記付勢部材は、側壁側に設けた前記立設部材と回動部材とを繋ぐ弾性部材である請求項１または２に記載の紙葉類処理装置。
【発明の詳細な説明】
【技術分野】
【０００１】
この発明は、紙幣等の紙葉類を処理する紙葉類処理装置に関し、特に紙葉類を集積して収納する収納空間の大きさが取り扱う紙葉類のサイズに応じて調整できる紙葉類収納部を有する紙葉類処理装置に関する。
【背景技術】
【０００２】
従来、入出金取引にかかる紙幣を処理する紙幣処理装置、例えば現金自動預け払い機（ＡＴＭ）や現金自動支払い機（ＣＤ）、が銀行等の金融機関の店舗に設置されている。紙幣処理装置には、利用者が入金する紙幣を投入する紙幣投入部や、本体に投入された紙幣や利用者に対して出金する紙幣を収納する紙幣カートリッジ等、紙幣を集積して収納する紙幣収納部が複数設けられている。紙幣処理装置は、周知のように紙幣投入部や紙幣カートリッジ等の紙幣収納部に収納している紙幣を１枚ずつ繰り出して搬送し、紙幣識別部で紙幣の真偽や金種を識別して入金金額や出金金額を確認し、取引を処理する。
【０００３】
ところで、紙幣収納部に紙幣を揃えて収納しておかないと、紙幣収納部から繰り出した紙幣がスキューし、搬送路に詰まる、所謂ジャムの発生確率が上昇し、装置本体の信頼性を低下させる。言い換えれば、装置本体の信頼性を低下させないためには、紙幣収納部に紙幣を揃えて収納する必要がある。紙幣を揃えて集積するには、紙幣収納部の収納空間（紙幣を集積して収納する空間）の幅寸法を収納する紙幣のサイズに応じた大きさにすればよい。そこで、従来の紙幣処理装置は特許文献１に示されているように、紙幣サイズが金種毎に異なることを考慮し、紙幣の収納空間の幅寸法が調整可能な板状のガイド部材（取り付け位置が収納空間の幅方向に調整できるガイド部材）を紙幣収納部に取り付けている。
【特許文献１】特開２００１−１０１４７９号公報
【発明の開示】
【発明が解決しようとする課題】
【０００４】
しかしながら、特許文献１で示されている板状のガイド部材を取り付けて収納空間の幅寸法を調整する構成では、このガイド部材の外側（収納空間の反対側）と紙幣収納部の内壁との間に生じた隙間に異物が入り混み、装置本体を故障させるという問題があった。
【０００５】
この発明の目的は、紙葉類収納部に取り付け、収納する紙葉類の収納空間の大きさをを調整するガイド部材の先端部を回動自在にし、この先端部でガイド部材と紙葉類収納部の内壁との間に生じる隙間を塞いで、この隙間に異物が入り込むのを防止した紙葉類処理装置を提供することにある。
【課題を解決するための手段】
【０００６】
この発明の紙葉類処理装置は、上記課題を解決するために以下の構成を備えている。
【０００７】
（１）紙葉類を集積して収納する紙葉類収納部を備えた紙幣処理装置において、
前記紙葉類収納部は、側壁の両側に一対のガイド部材が相互の間隔を調整可能に取り付けられ、
前記ガイド部材は、前記紙葉類収納部の底面から、収納する紙幣が流入する上面に向かって立設する立設部材と、この立設部材の上端部に回動自在に取り付けられた回動部材と、この回動部材に対して側壁側に回動する回動力を作用させる付勢部材と、を有する。
【０００８】
この構成では、一対のガイド部材が総合の間隔を調整して取り付けられるので、任意の金種の紙幣に応じた収納空間を簡単に得ることができる。また、回動部材が付勢部材による付勢力によって紙葉類収納部の側壁側に回動する。回動部材は、その先端が紙葉類収納部の側壁に当接した状態で停止する。このため、この回動部材が取り付けられている立設部材と、紙葉類収納部の側壁との間に隙間が生じていても、この隙間の上面が回動部材によって塞がれるので、この隙間に異物が入り込むの防止できる。
【０００９】
（２）紙葉類を集積して収納する紙葉類収納部を備えた紙幣処理装置において、
前記紙葉類収納部は、側壁の一方の側にガイド部材が他方の側壁との間隔を調整可能に取り付けられ、
前記ガイド部材は、前記紙葉類収納部の底面から、収納する紙幣が流入する上面に向かって立設する立設部材と、この立設部材の上端部に回動自在に取り付けられた回動部材と、この回動部材に対して側壁側に回動する回動力を作用させる付勢部材と、を有する。
【００１０】
この構成では、ガイド部材が紙葉類収納部の一方の側壁との間隔を調整して取り付けられるので、任意の金種の紙幣に応じた収納空間を簡単に得ることができる。また、上記（１）と同様に、回動部材が取り付けられている立設部材と、紙葉類収納部の側壁との間に隙間が生じていても、この隙間の上面が回動部材によって塞がれるので、この隙間に異物が入り込むの防止できる。
【００１１】
（３）前記付勢部材は、側壁側に設けた前記立設部材と回動部材とを繋ぐ弾性部材である。
【００１２】
この構成では、紙幣収納部の側壁側で立設部材と回動部材とを、バネやゴム等の弾性部材で繋ぐという簡単な構成で、回動部材に対して紙幣収納部の側壁側に回動する回動力を作用させることができる。
【発明の効果】
【００１３】
この発明によれば、任意の金種の紙幣に応じた収納空間を簡単に得ることができる。また、回動部材が付勢部材による付勢力によって紙葉類収納部の側壁側に回動されるので、紙葉類収納部の側壁との間に隙間が生じていても、この隙間の上面が回動部材によって塞がれる。したがって、この隙間に異物が入り込むの防止できる。
【００１４】
また、簡単な構成で、回動部材に対して紙幣収納部の側壁側に回動する回動力を作用させることができ、安価である。
【発明を実施するための最良の形態】
【００１５】
以下、この発明の実施形態である紙幣処理装置について説明する。
【００１６】
図１は、この発明の実施形態である紙幣処理装置の主要部の構成を示す概略の内部断面図である。この実施形態の紙幣処理装置１は、上部ユニット２と下部ユニット３とが分離可能に構成されている。上部ユニット２は、紙幣の真偽、金種等を識別する紙幣識別部１１と、利用者が紙幣を投入したり、利用者に対して紙幣を放出する入出金口１２と、紙幣識別部１１で識別した紙幣を一時保留する一時保留部１３と、利用者が紙幣投入口１２に投入した紙幣で紙幣識別部１１で真偽、金種が識別できなかった紙幣（利用者に返却する紙幣）を一時保留する返却保留部１４とを備えている。下部ユニット３は、利用者が取り忘れた紙幣等を回収する回収カートリッジ２１と、金種別に設けた紙幣を収納する金種別カートリッジ２２（２２ａ〜２２ｄ）と、を備えている。例えば、カートリッジ２２ａは千円紙幣、カートリッジ２２ｂは５千円紙幣、カートリッジ２２ｃ、２２ｄは１万円紙幣を収納する。
【００１７】
また、上部ユニット２および下部ユニット３には図中に示す方向に紙幣を搬送する紙幣搬送路が形成されている。この紙幣搬送路は、上部ユニット２と下部ユニット３とを結合したときに、上部ユニット２から下部ユニット３へ紙幣を渡すＡ点、および下部ユニット３から上部ユニット２へ紙幣を渡すＢ点で連結される。紙幣搬送路は複数の分岐点を有し、各分岐点には紙幣の搬送先を切り替えるフラッパが設けられている。図中に示すフラッパ１５ａは紙幣の搬送先を紙幣識別部１１と入出金口１２との間で切り替え、フラッパ１５ｂは紙幣の搬送先を下部ユニット３と、一時保留部１３または返却保留部１４と、の間で切り替え、フラッパ１５ｃは紙幣の搬送先を一時保留部１３と返却保留部１４との間で切り替える。また、下部ユニット３に設けられている、フラッパ２３ａ〜２３ｅは、紙幣を回収カートリッジ２１、または金種別カートリッジ２２（２２ａ〜２２ｄ）に搬送するか、上部ユニット２へ搬送するかを切り替える。さらに、下部ユニット３には、紙幣カートリッジ２２（２２ａ〜２２ｄ）から繰り出した紙幣を上部ユニット２へ搬送するための紙幣搬送路も形成されている。
【００１８】
ここで、紙幣処理装置１における入金処理、および出金処理について簡単に説明しておく。まず、入金処理について説明する。利用者が入金する紙幣を入出金口１２に投入する。紙幣処理装置１は、入出金口１２に投入された紙幣を１枚ずつ繰り出し、紙幣識別部１１へ搬送する。紙幣識別部１１では、搬送されてきた紙幣毎に、真偽、および金種を識別する。紙幣識別部１１で識別された紙幣は、下部ユニット３側ではなく、一時保留部１３、返却保留部１４側に搬送される。紙幣識別部１１が真券であること、および金種を識別した紙幣は一時保留部１３に保留され、真券であること、または金種の少なくとも一方が識別されなかった紙幣は返却保留部１４に保留される。ここでの紙幣搬送路における紙幣の搬送先の切替は、フラッパ１５ｂ、１５ｃの切り替えにより行われる。
【００１９】
紙幣処理装置１は、入出金口１２に投入された全ての紙幣について、紙幣識別部１１で識別すると、今回返却保留部１４に保留した紙幣を１枚ずつ繰り出し、入出金口１２へ搬送する。紙幣処理装置１は、今回返却保留部１４に保留した全ての紙幣を、入出金口１２へ搬送すると、フラッパ１５ａを切り替えるとともに、今回一時保留部１３に保留した紙幣を１枚ずつ繰り出し、再度紙幣識別部１１へ搬送し、真偽、および金種を識別する。紙幣処理装置１は、紙幣識別部１１で再識別した紙幣を、一時保留部１３、返却保留部１４側に搬送するのではなく、Ａ点側に搬送する。この紙幣の搬送先の切り替えは、フラッパ１５ｂの切り替えにより行える。紙幣処理装置１は、各紙幣を再識別したときの金種に応じた金種別カートリッジ２２ａ〜２２ｄに搬送し、再識別したときに真券であること、または金種の少なくとも一方が識別されなかった紙幣を回収カートリッジ２１に搬送する。このとき、紙幣処理装置１は、下部ユニット３へ搬送されてきた紙幣毎にフラッパ２３ａ〜２３ｅを制御して、対応するカートリッジ２１、２２ａ〜２２ｄへ搬送し、収納する。
【００２０】
次に、出金処理について説明する。出金金額は、図示していない表示操作部において利用者が入力する。紙幣処理装置１は、入力された出金金額に基づいて、金種毎に出金する紙幣の枚数を決定する。紙幣処理装置１は、金種毎にここで決定した枚数の紙幣を金種別カートリッジ２２ａ〜２２ｄから１枚ずつ繰り出す。金種別カートリッジ２２ａ〜２２ｄから繰り出された紙幣は、Ｂ点を経由して、上部ユニット２側の紙幣識別部１１へ搬送される。紙幣識別部１１では、搬送されてきた紙幣毎に、真偽、および金種を識別する。紙幣処理装置１は、紙幣識別部１１で真券であること、およびその金種が識別された紙幣をフラッパ１５ｂ、１５ｃを制御して、一時保留部へ搬送し、真券であること、またはその金種の少なくとも一方が識別されなかった紙幣を回収カートリッジ２１へ搬送する。紙幣処理装置１は、今回出金する金額の紙幣を一時保留部１３に保留すると、この一時保留部１３に保留している紙幣を１枚ずつ繰り出して入出金口１２へ搬送する。利用者は、この入出金口１２から紙幣を取り出す。
【００２１】
なお、紙幣処理装置１は、入出金口１２に利用者が取り忘れた紙幣があれば、この紙幣を入出金口１２から繰り出し、紙幣搬送路に沿って搬送し、回収カートリッジ２１に収納する。
【００２２】
入出金口１２、一時保留部１３、返却保留部１４、回収カートリッジ２１、および金種別カートリッジ２２（２２ａ〜２２ｄ）が、この発明で言う紙葉類収納部に相当する。入出金口１２、一時保留部１３、返却保留部１４、回収カートリッジ２１、および金種別カートリッジ２２（２２ａ〜２２ｄ）には、それぞれ一対のガイド部材が取り付けられている。入出金口１２、一時保留部１３、返却保留部１４、および回収カートリッジ２１は、装置本体で処理する幅寸法が最大の紙幣に応じて一対のガイド部材の間隔を調整し取り付けている。また、金種別カートリッジ２２（２２ａ〜２２ｄ）は収納する金種の紙幣に応じて一対のガイド部材の間隔を調整し、取り付けている。
【００２３】
ここでは、ガイド部材を取り付けた入出金口１２を例にして説明する。入出金口１２は、上面に図示していない扉を有している。この扉の開閉により、利用者が入金する紙幣の投入や、出金する紙幣の取り出しを制限する。また、入出金口１２の底面側には、入出金口１２に投入された紙幣を繰り出すピックアップローラや、出金する紙幣を入出金口１２に送り込む搬送ローラが配置されている。
【００２４】
図２は、ガイド部材を示す図であり、図３は入出金口に一対のガイド部材を取り付けた状態を示す図である。ガイド部材３０は、入出金口１２の底面に設けられた取付バー１２ａに固定する立設部材３１と、この立設部材３１の先端に回動自在に取付られた回動部材３２と、入出金口１２の側壁側で立設部材３１と回動部材３２とを繋ぐバネ３３により構成されている。また、入出金口１２の底面側には、ガイド部材３０を取り付ける取付バー１２ａが設けられている。この取付バー１２ａには両側に長孔が形成されており、一対のガイド部材３０（立設部材３１）を取り付ける位置を幅方向に調整でき、図３（Ａ）、（Ｂ）に示すように、立設部材３１の間隔を調整できる。この立設部材の間隔は、収納する紙幣の幅サイズに応じて決定される。したがって、処理する幅寸法が最大である紙幣が異なる装置であっても、立設部材３１の間隔を調整するだけだ、紙幣を揃えて収納することができる。
【００２５】
また、回動部材３２は、バネ３３による付勢力で入出金口１２の側壁側に回動し、その先端が入出金口１２の側壁に当接した状態で停止する。したがって、図３（Ａ）、（Ｂ）に示すように、入出金口１２に調整して取り付けた立設部材３１の間隔に関係なく、回動部材３２の先端が入出金口１２の側壁に当接した状態で停止する。このため、入出金口１２の側壁と、ガイド部材３０との間に隙間が生じていても、この隙間の上面が回動部材３２によって塞がれるので、この隙間に異物が入り込むのを防止できる。
【００２６】
また、紙幣処理装置１は、上記入出金口１２だけでなく、一時保留部１３、返却保留部１４、回収カートリッジ２１、および金種別カートリッジ２２（２２ａ〜２２ｄ）にも、紙幣を揃えて収納することができるように、上述した一対のガイド部材３０を収納する紙幣に応じた間隔で取り付けられるように、長孔を形成した取付バーが設けられている。
【００２７】
なお、取付バー１２ａに、長孔ではなく、紙幣の種類毎に立設部材３１の取付位置に位置決め用の穴を形成しておき、この穴を利用してガイド部材３０を取り付けるようにしてもよい。このようにすれば、ガイド部材３０の取り付け時における、取付位置の調整が容易に行え、作業性の向上が図れる。
【００２８】
また、上記実施形態では、立設部材３１と回動部材３２と、をバネ３３で繋ぐとしたが、ゴム等の他の弾性体で繋いでもよい。
【００２９】
また、上記実施形態では、収納する紙幣の幅寸法に応じて一対のガイド部材３０の間隔を調整して取り付けるとしたが、図４に示すように１つのガイド部材３０を一方の側壁との間隔を調整して取り付ける構成としてもよい。この場合も、上記実施形態と同様の効果を奏する、また、必要になるガイド部材３０を半分にでき、装置本体を安価にできる。
【図面の簡単な説明】
【００３０】
【図１】この発明の実施形態である紙幣処理装置の主要部を示す図である。
【図２】この発明の実施形態である紙幣処理装置に適用されるガイド部材を示す図である。
【図３】この発明の実施形態である紙幣処理装置の入出金口にガイド部材を取り付けた状態を示す図である。
【図４】この発明の別の実施形態である紙幣処理装置の入出金口にガイド部材を取り付けた状態を示す図である。
【符号の説明】
【００３１】
１−紙幣処理装置
１２−入出金口
３０−ガイド部材
３１−立設部材
３２−回動部材
３３−バネ
【図１】
2005250643.tif 000003
【図２】
2005250643.tif 000004
【図３】
2005250643.tif 000005
【図４】
2005250643.tif 000006